(57)【特許請求の範囲】
【請求項１】
内容物を取り出す開口部が設けられた天板部と、前記天板部の周縁部に垂下して形成された外周壁と、前記天板部にヒンジを介して取り付けられ前記開口部を開閉するヒンジ蓋と、内容物を収容する容器本体の上部の開口端に形成されたネジ部に螺合するように、前記外周壁の下端部内周面に形成された雌ネジとを備え、前記容器本体の前記開口端に螺着された際に前記天板部が前記外周壁により前記開口端から上方に離れた位置に配置される蓋保持機構付きキャップにおいて、
前記天板部の前記ヒンジを境にして前記開口部とは反対側に、前記ヒンジ蓋を収納できるように窪ませて形成された凹部と、
前記ヒンジ蓋の外周縁と前記凹部の内周縁との間の少なくとも一部に、前記ヒンジ蓋を前記凹部内に留めるよう前記ヒンジ蓋を外周側から挟み付けて把持する把持部と、
前記ヒンジ蓋が前記開口部を閉じている際に、前記外周壁から外周側に向けて突出するように前記ヒンジ蓋の外周端部に設けられた指掛け部と、
前記天板部における前記凹部を挟んで前記開口部とは反対側の位置から前記外周壁の円筒状の外周面に至るように斜めに形成された切欠き部とを備え、
前記指掛け部は、前記ヒンジ蓋を前記凹部に収納した状態で前記切欠き部の上方に位置し、かつ前記天板部を上方から見た場合の前記外周壁の輪郭内に収まる長さになっている
ことを特徴とする蓋保持機構付きキャップ。
【発明の詳細な説明】
【技術分野】
【０００１】
この発明は、蓋をヒンジ止めしたキャップに関し、特にその蓋を開いた状態に安定的に保持するように構成されたキャップに関するものである。
【背景技術】
【０００２】
この種の容器蓋が特許文献１に記載されている。その容器蓋は、蓋天板の中央部に設けられた蓋天板を折り曲げ可能とする折り曲げ溝が設けられており、一方の蓋天板の中央に凸部が設けられ、他方の蓋天板の中央に凹部がそれぞれ設けられており、折曲げ溝で折曲げた際に一方の蓋天板の中央の凸部が他方の蓋天板の中央にある凹部に嵌合される。また特許文献２には、上記の容器蓋と同様の蓋が記載されている。具体的には、その蓋には、容器開口部を覆う蓋が折り曲げ線を介して区分される前半体と後半体とからなり、前半体を開状態に保持可能とするために、前半体には固定リブと凸部が設けられ、後半体には固定リブの取付け部と凹部が設けられており、前半体を折り曲げ線を介して上方に折り曲げて、前半体の固定リブと後半体の取付け部を嵌合させ、前半体の凸部と後半体の凹部を相互に嵌合させる。
【先行技術文献】
【特許文献】
【０００３】
【特許文献１】特開２００１−２７８３００号公報
【特許文献２】特開２００２−６８２４０号公報
【発明の概要】
【発明が解決しようとする課題】
【０００４】
特許文献１に記載されている蓋天板では、蓋天板の上面から凸部を突出させる必要があり、特許文献２に記載されている蓋も、蓋の上面からリブと凸部を突出させる必要がある。このため、蓋により開口部を閉じている場合において、見栄えが悪くなる可能性があった。また、輸送中などに、凸部やリブが他の物体に衝突したり、引っかかるなどして、破損するなどの問題があった。さらに、蓋の外表面に突起を設けることになるので、金型の構造が複雑になり、また、成型欠陥が生じやすいなど製造性に劣る問題があった。
【０００５】
この発明は、開いた蓋を安定的に保持でき、しかも製造性に優れた、ヒンジ止めした蓋を備えるキャップを提供することを目的とする。
【課題を解決するための手段】
【０００６】
上記の目的を達成するために、本発明は、内容物を取り出す開口部が設けられた天板部と、前記天板部の周縁部に垂下して形成された外周壁と、前記天板部にヒンジを介して取り付けられ前記開口部を開閉するヒンジ蓋と、内容物を収容する容器本体の上部の開口端に形成されたネジ部に螺合するように、前記外周壁の下端部内周面に形成された雌ネジとを備え、前記容器本体の前記開口端に螺着された際に前記天板部が前記外周壁により前記開口端から上方に離れた位置に配置される蓋保持機構付きキャップにおいて、前記天板部の前記ヒンジを境にして前記開口部とは反対側に、前記ヒンジ蓋を収納できるように窪ませて形成された凹部と、前記ヒンジ蓋の外周縁と前記凹部の内周縁との間の少なくとも一部に、前記ヒンジ蓋を前記凹部内に留めるよう前記ヒンジ蓋を外周側から挟み付けて把持する把持部と、前記ヒンジ蓋が前記開口部を閉じている際に、前記外周壁から外周側に向けて突出するように前記ヒンジ蓋の外周端部に設けられた指掛け部と、前記天板部における前記凹部を挟んで前記開口部とは反対側の位置から前記外周壁の円筒状の外周面に至るように斜めに形成された切欠き部とを備え、前記指掛け部は、前記ヒンジ蓋を前記凹部に収納した状態で前記切欠き部の上方に位置し、かつ前記天板部を上方から見た場合の前記外周壁の輪郭内に収まる長さになっていることを特徴とするものである。
【発明の効果】
【０００９】
この発明によれば、天板部に、ヒンジ蓋の形状に対応した凹部を設け、ヒンジ蓋を凹部に収納することができ、凹部の周縁に設けられた把持部によりヒンジ蓋を押圧することにより、蓋保持機構付きキャップを倒立させた場合でも、ヒンジ蓋が凹部から外れず凹部内に留め置かれる。このため、天板部の上面に突起部等を設ける必要はなく、開口部を開いた状態に維持することが可能となる。また、天板部の一部を窪ませるだけでよいから、製造が容易になり、低廉化を図ることができる。
【００１０】
さらに、ヒンジ蓋により開口部が閉じた状態又は、ヒンジ蓋が凹部に収納された状態では、ヒンジ蓋に設けられた指掛け部がヒンジ蓋の外周部から突出するため、ヒンジ蓋により開口部を開閉させる際、指掛け部を押してヒンジ蓋を凹部側又は開口部側へ回動することができるので、ヒンジ蓋により開口部を容易に開閉することができる。
【図面の簡単な説明】
【００１１】
【図１】この発明の参考例を示す断面図である。
【図２】この発明の参考例を、開口部が閉じた状態で示す斜視図である。
【図３】この発明の参考例を、開口部が閉じた状態で示す上面図である。
【図４】この発明の参考例を、開口部が開いた状態で示す斜視図である。
【図５】この発明の参考例を、開口部が開いた状態で示す上面図である。
【図６】この発明の参考例を、開口部が開き、かつ指掛け部がヒンジ蓋の外周部から突出している状態で示す斜視図である。
【図７】この発明の参考例を、開口部が開き、かつ指掛け部がヒンジ蓋の外周部から突出している状態で示す上面図である。
【図８】この発明の一実施例を、開口部が開いた状態で、かつ切欠き部を有することを示す斜視図である。
【図９】この発明の一実施例を、開口部が開いた状態で、切欠き部を有することを示す上面図である。
【発明を実施するための形態】
【００１２】
以下、キャップの参考例を図面を参照して説明する。図１は、キャップ１を示す断面図で、キャップ１が、容器本体２の上部に形成された開口端３のねじ部４に螺着されている。
【００１３】
容器本体２は、有底筒状の容器で、上部の開口端３から投入された図示しない内容物を内部に収納している。この容器本体２の開口端３にキャップ１を取り付けると内容物取出容器が構成され、内容物取出容器を倒立させると内容物を取り出すことができる。
【００１４】
キャップ１は、外周壁５と、天板部６とから構成されている。外周壁５は、キャップ１の外周壁を形成する円筒体であって、下端部内周面に、開口端３のネジ部４と螺合する雌ネジ７が形成されている。天板部６は、板厚方向に貫通された開口部８と、開口部８を開閉するヒンジ蓋９と、キャップ１およびヒンジ蓋９を回動自在に接続させるヒンジ１０と、ヒンジ蓋９の形状に対応した凹部状で、開状態のヒンジ蓋９を保持する凹部１１とを有している。
【００１５】
ヒンジ蓋９は、半円状の板で、図２および図３に示すように開口部８を閉じた状態では、外表面は平面となっている。また、図４および図５に示すように開口部８が開いた状態では、ヒンジ蓋９は凹部１１に収納できる。なお、開口部８がヒンジ蓋９により閉じられた状態では、ヒンジ蓋９の裏面に形成された嵌合部１３を開口部８の外周面に嵌合させている。
【００１６】
凹部１１は、図１ないし図３に示すように、天板部６において、ヒンジ１０を境にして開口部８と反対方向に設けられた半円状の凹部であり、開口部８が開いた状態において、図４および図５に示すようにヒンジ蓋９を収納することができる。
【００１７】
ヒンジ蓋９は上記の凹部１１に嵌め込んだ状態では、凹部１１によって保持されるようになっている。例えば指掛け部１２を含むヒンジ蓋９全体の外周の寸法が凹部１１の内周の寸法に対して、いわゆる止まり嵌めとなる程度に大きく設定され、ヒンジ蓋９を凹部１１に押し込むことによりヒンジ蓋９が凹部１１の内部に保持される。このような構成の場合、凹部１１の内周縁が把持部１４を形成している。また、把持部１４は凹部１１の内周側に突出した部分として形成することもできる。その例を図２ないし図９に示してあり、凹部１１の周縁には間隔をあけて把持部１４が複数設けられている。把持部１４は、凹部の中心に向かい凸形状となっている。ヒンジ蓋９を凹部１１に収納させる際に、ヒンジ蓋９が把持部１４を弾性変形させて凹部１１に収納されかつ保持される。そして、ヒンジ蓋９が凹部１１に収納されている状態では、把持部１４がヒンジ蓋９を弾性力で掴んだ状態になっている。このため、キャップ１を倒立させたとしても、ヒンジ蓋９は凹部１１から外れず、凹部１１内に留めおかれる。なお、把持部１４は、凹部１１の内周縁のうちの上側の部分に設けられていてもよい。この場合、ヒンジ蓋９が凹部１１に収納されている際は、ヒンジ蓋９の上側に把持部１４が配置されるようになる。このため、キャップ１を倒立させたとしても、把持部１４がストッパーとして機能して、ヒンジ蓋９が凹部１１内から外れず、凹部１１内に留めおかれる。なお、凸状の把持部１４は、指掛け部１２に係合するように構成してもよい。
【００１８】
ヒンジ蓋９の外周端部には指掛け部１２を有する。図２および図３に示す参考例では、ヒンジ蓋９が開口部８を閉じている状態でかつ嵌合部１３が開口部８の外周面と嵌合している状態で、指掛け部１２は外周壁５から外周側に向けて突出している。図６および図７に示す参考例では、開口部８が開いた状態でかつヒンジ蓋９が凹部１１に収納されている状態で、指掛け部１２は外周壁５から外周側に向けて突出している。
【００１９】
ヒンジ蓋９が開口部８を閉じている状態から開口部８を開く場合には、指掛け部１２を押して、ヒンジ１０を支点としてヒンジ蓋９を開口部８に対して約１８０度回動させる。そして、ヒンジ蓋９が把持部１４を押圧し、把持部１４を弾性変形させて、ヒンジ蓋９を凹部１１に収納させる。ヒンジ蓋９が凹部１１に収納されている際に、把持部１４がヒンジ蓋９を押圧していることにより、キャップ１を倒立させてもヒンジ蓋９が凹部１１から外れず、凹部１１内に留めおかれる。したがって、ヒンジ蓋９が凹部１１に収納されることと把持部１４によりヒンジ蓋９が凹部１１から外れず、凹部１１内に留めおかれることとにより、ヒンジ蓋９の外表面に凸部やそれに対応する凹部を天板部６に設ける必要はないため、製造が容易となる。
【００２０】
ヒンジ蓋９が凹部１１に収納されている状態からヒンジ蓋９により開口部８を閉じる場合には、指掛け部１２を押して、把持部１４を弾性変形させてヒンジ蓋９を凹部１１から取り出し、ヒンジ１０を支点として凹部１１に対して約１８０度回転させて開口部８に嵌合部１３を嵌合させることができる。図６および図７に示す参考例では、指掛け部１２が外周壁５から突出しているため、ヒンジ蓋９を凹部１１から取り出す際に、外周壁５の外周側から指掛け部を押すことが可能となり、把持部１４がヒンジ蓋９を押圧していても、容易にヒンジ蓋９を凹部１１から取り出すことができる。
【００２１】
次に、他の構成について図８および図９を参照して説明すると、キャップ本体１は、外表面のうち、天面を形成する円形状の天板部６と、外周側側面を形成する円筒状の外周壁５と、天板部６から外周壁５の円筒状の外周面に至るように斜めに形成された切欠き部１５とを備えている。ヒンジ蓋９が凹部１１に収納されている状態では、指掛け部１２が切欠き部１５から外周側に向けて突出する。したがって、開口部８をヒンジ蓋９によって閉める場合には、指掛け部１２を上に押して、ヒンジ蓋９をヒンジ１０を支点として、把持部１４を弾性変形させて、ヒンジ蓋９を凹部１１から容易に取り出すことができる。
【符号の説明】
【００２２】
１…キャップ本体、  ２…容器本体、  ３…開口端、  ５…外周壁、  ６…天板部、  ７…雌ネジ、  ８…開口部、  ９…ヒンジ蓋、  １０…ヒンジ、  １１…凹部、  １２…指掛け部、  １３…嵌合部、  １４…把持部、  １５…切欠き部。
【図１】
0006376877.tif 000002
【図２】
0006376877.tif 000003
【図３】
0006376877.tif 000004
【図４】
0006376877.tif 000005
【図５】
0006376877.tif 000006
【図６】
0006376877.tif 000007
【図７】
0006376877.tif 000008
【図８】
0006376877.tif 000009
【図９】
0006376877.tif 000010